(57)【要約】【課題】  マイク５１の通音孔２１に連結された排水溝２２の内部に水が溜るのを防止して、少量の雨の日でも外部からの音を良好にマイク５１に伝達することができるドアホン１を提供するものである。【解決手段】  前面板２０に面するようにマイク５１を内部に収納したハウジング５と、前記前面板２０におけるマイク５１に対応する位置に設けられた通音孔２１と、通音孔２１に連結した下方向への排水溝２２と、マイク５１を制御するためのドアホン１回路が実装されたプリント基板６０と、を備えたドアホン１において、排水溝２２よりも幅狭な引水溝３１を排水溝２２に連結させて、排水溝２２に溜まった水を毛細管現象により引水溝３１に引き込むものである。【選択図】図１
2007143079.tif 000002
【特許請求の範囲】
【請求項１】
前面板に面するようにマイクを内部に収納したハウジングと、前記前面板におけるマイクに対応する位置に設けられた通音孔と、通音孔に連結した下方向への排水溝と、マイクを制御するためのドアホン回路が実装されたプリント基板と、を備えたドアホンにおいて、
排水溝よりも幅狭な引水溝を排水溝に連結させて、排水溝に溜まった水を毛細管現象により引水溝に引き込むことを特徴とするドアホン。
【請求項２】
引水溝の端部が、ハウジングの底面板の表面に配置していることを特徴とする請求項１に記載のドアホン。
【請求項３】
引水溝が、排水溝の下端部で排水溝と連結していることを特徴とする請求項１または２に記載のドアホン。
【発明の詳細な説明】
【技術分野】
【０００１】
本願発明は、玄関に設置されるドアホンに関するものである。
【背景技術】
【０００２】
従来から、通音孔が設けられた前面板を有するハウジング１０５と、通音孔１２１に面するようにハウジング１０５内に収納されたたマイクと、前記マイクを制御するためのドアホン回路が実装されたプリント基板と、を備えたドアホン１０１が提供されている（例えば、特許文献１）。そして、図４に示すように、この種のドアホン１０１は、通音孔１２１に連結させた下方向への排水溝１２２を前面板１２０の外側表面に設けて、雨や結露で生じた水滴がハウジングの表面を伝って通音孔１２１に流れ込んでくる水を排水し、通音孔１２１に水が溜まってマイクに音が届かないという不具合を防止するようになっている。
【特許文献１】特開平１０−２６９４８３号公報
【発明の開示】
【発明が解決しようとする課題】
【０００３】
しかし、上記のような構造を備えたドアホンでは、通音孔を経由して排水溝に流れ込む水の量が多いときには、ハウジングの前面板と底面板とのコーナ部に位置する排水溝の下端部から水が良好に排水されるが、流れ込む水の量が少ないときには、水の表面張力や水とハウジングとの親和力の影響により水が落下せずに排水溝の下端部に留まって、その後に排水溝に流れ込む水を堰き止めてしまう。そのため、排水溝に水が溜まって通音孔にも水が浸入し、外部の音がハウジングの内部のマイクにまで伝達され難くなるという不具合があった。
【０００４】
そこで、本願発明は、マイクの通音孔に連結された排水溝の内部に水が溜るのを防止して、少量の雨の日でも外部からの音を良好にマイクに伝達することができるドアホンを提供するものである。
【課題を解決するための手段】
【０００５】
上記課題を解決するために、本願発明のドアホンは、前面板に面するようにマイクを内部に収納したハウジングと、前記前面板におけるマイクに対応する位置に設けられた通音孔と、通音孔に連結した下方向への排水溝と、マイクを制御するためのドアホン回路が実装されたプリント基板と、を備えたドアホンにおいて、排水溝よりも幅狭な引水溝を排水溝に連結させて、排水溝に溜まった水を毛細管現象により引水溝に引き込むものである。
【発明の効果】
【０００６】
本願発明のドアホンにおいては、排水溝よりも幅狭な引水溝を排水溝に連結させて、排水溝に溜まった水を毛細管現象により引水溝に引き込むので、排水溝の内部に水が溜るのを抑えて、雨の日でも外部からの音を良好にマイクに伝達することができるものである。
【発明を実施するための最良の形態】
【０００７】
以下、本願発明を実施するための最良の形態について図面を参照しながら説明する。
【０００８】
図１は本願発明の請求項１乃至３に対応した実施形態のドアホン１の正面および底面図を、図２は図１のドアホン１のＡ−Ａ断面図を、図３は図１のドアホン１の展開斜視図を、示している。
【０００９】
この実施形態で用いるドアホン１は、前面板２０に面するようにマイク５１を内部に収納したハウジング５と、前記前面板２０におけるマイク５１に対応する位置に設けられた通音孔２１と、通音孔２１に連結した下方向への排水溝２２と、マイク５１を制御するためのドアホン１回路が実装されたプリント基板６０と、を備えたドアホン１において、排水溝２２よりも幅狭な引水溝３１を排水溝２２に連結させて、排水溝２２に溜まった水を毛細管現象により引水溝３１に引き込むものである。
【００１０】
また、この実施形態で用いるドアホン１は、引水溝３１の端部が、ハウジング５の底面板３０の表面に配置されているものである。
【００１１】
また、この実施形態で用いるドアホン１は、引水溝３１が、排水溝２２の下端部で排水溝２２と連結しているものである。
【００１２】
以下、この実施形態で用いるドアホン１を、より具体的に説明する。このドアホン１は、インターホン親機と通話するために用いられているものである。そして、このドアホン１は、図１・３に示すように、来訪者を撮像するカメラ６６と夜間撮影用の照明となる赤外ＬＥＤ６７とを基板に実装したカメラ部６５と、住人の音声を出力するスピーカ７５と、来訪者の音声をピックアップするマイク５１を基板に実装したマイク部５０と、チャイムを鳴らして来訪を知らせるための呼出ボタン８０と、カメラ６６・スピーカ７５・マイク５１を制御するドアホン１回路と呼出ボタン８０によりＯＮ／ＯＦＦ制御される呼出スイッチ６１とが実装されたプリント基板６０と、それら全てを内部に収納する略箱型のプラスチック成形品であるハウジング５と、このハウジング５を壁面に取り付けるためのベース４５と、を主に備えているものである。そして、このハウジング５は、略平板形状のボディ４０とこのボディ４０と係合する略筐体形状のカバー１０とを備えており、このボディ４０とカバー１０との間の空間にカメラ部６５・スピーカ７５・マイク部５０・プリント基板６０等の各種部品を収納するようになっているものである。そして、これらの構成要素を備えたドアホン１は、インターホン親機と接続することにより、来訪者と宅内にいる住人とが通話を行うことができ、かつ通話時に来訪者の顔をドアホン１のカメラ６６で確認できるものとなっている。
以下、この実施形態の主な構成要素であるカバー１０について、さらに詳細に説明する。
このカバー１０は、前面板２０・側面板３５・底面板３０・上面板３６を有した略筐体形状を備えて、ハウジング５のボディ４０にネジ等を用いることにより固定されて、ボディ４０との間で形成したハウジング５の内部空間をおおよそ密閉することができるものとなっている。
そして、このカバー１０の前面板２０の上部には、カメラ６６で来訪者の映像を撮影したり赤外ＬＥＤ６７の光で外部を照らしたりするための複数の通光孔２４が設けられており、さらにはこの通光孔２４から塵やゴミ等がハウジング５内に侵入するのを防止するために、透光性材質よりなるフィルター７０が通光孔２４を覆うようにカバー１０の表面に取り付けられているものである。
また、このカバー１０の中央部には、スピーカ７５が対向する位置に複数のスリット孔からなる通音スリット孔２５が設けられており、この通音スリット孔２５を通じてスピーカ７５からの住人の音声をドアホン１の外部に放出することができるものとなっている。
また、このカバー１０の前面板２０の下部には、呼出ボタン８０を露出させて配設するためのボタン孔２７が設けられており、これにより来訪者がこの呼出ボタン８０を押操作できるものとなっている。
さらには、このカバー１０の前面板２０のボタン孔２７のすぐ下には、カバー１０とボディ４０とよりなるハウジング５を一括して壁に取り付けられたベース４５に固定するためのネジ貫通孔２６が設けられており、このハウジング５をベース４５に取り付ける際にはカバー１０の上面板３６に設けられた係合部（図示せず）をベース４５の上部に引っ掛けて係合し、取付けネジ８５をこのネジ貫通孔２６を通してベース４５の下部に設けられたネジ孔４６に螺合させて取り付けるものとなっている。なお、このときインターホン親機から延出させた配線は、ハウジング５の背面板（ボディ４０）に設けられた接続端子にネジ等を用いて電気接続されるものとなっている。
【００１３】
そして、カバー１０の前面板２０の右下部には、マイク５１が対向する位置に通音孔２１が設けられており、この通音孔２１は来訪者の音声をマイク５１に減衰なく入力することができるものとなっている。また、図２に示すように、マイク５１は、通音孔２１の後側表面の周縁近傍に全周に亘って設けられた凸部２３に、ゴム等の弾性材料よりなる略円筒形状のマイクキャップ５５を介して押し付けられるように固定されており、これにより通音孔２１を経由してハウジング５の内部に水や塵等が浸入できないものとなっている。さらには、この通音孔２１の前側表面には、通音孔２１と連結するように下方向への排水溝２２が前面板２０の下端部まで延出させて設けられており、これにより雨等によりカバー１０の前面に付着した水滴が通音孔２１に流れ込もうとした際に、排水溝２２に流れ込み、最後には排水溝２２の下端部から外部に排水されるものとなっている。また、排水溝２２の幅は、少なくとも通音孔２１の穴径と略同じかそれよりも少し大きくなるように形成されており、これによりカバー１０に付着した通音孔２１に流れ込もうとする水滴が良好に排水溝２２へと流れ込むものとなっている。また、カバー１０の底面板３０には、排水溝２２に留まろうとする水を毛細管現象により排水溝２２から引き抜くために、排水溝２２よりも幅狭な引水溝３１を排水溝２２の下端部に連結させて形成しているものである。さらには、この引水溝３１の深さは排水溝２２の深さよりも浅いものとなっており、これにより引水溝３１の断面積が排水溝２２の断面積よりも小さくなり、排水溝２２の端部に溜まった水をより良好に引水溝３１の内部に引き入れることができるようになっている。そして、この引水溝３１の端部は底面板３０の略中央付近に配置されており、引水溝３１に引き込まれた水は、この端部で一時的に溜るが、引水溝３１の断面積が小さいためにすぐに引水溝３１より溢れ出して水滴となって落下し、カバー１０から外部に排水されるようになっているものである。
以上の構成を備えることにより、この実施形態で用いるドアホン１は、前面板２０に面するようにマイク５１を内部に収納したハウジング５と、前記前面板２０におけるマイク５１に対応する位置に設けられた通音孔２１と、通音孔２１に連結した下方向への排水溝２２と、マイク５１を制御するためのドアホン１回路が実装されたプリント基板６０と、を備えたドアホン１において、排水溝２２よりも幅狭な引水溝３１を排水溝２２に連結させて、排水溝２２に溜まった水を毛細管現象により引水溝３１に引き込むので、マイク５１の通音孔２１に連結された排水溝２２の内部に水が溜るのを抑えて、少量の雨の日でも外部からの音を良好にマイク５１に伝達することができるものである
また、この実施形態で用いるドアホン１は、引水溝３１の端部がハウジング５の底面板３０の表面に配置しているので、引水溝３１の端部では重力が作用する方向がハウジング５から水を引き離す方向に働き、引水溝３１の端部に溜った水を良好にハウジング５の下に排水することができるものである。
また、この実施形態で用いるドアホン１は、引水溝３１が、排水溝２２の下端部で排水溝２２と連結しているので、排水溝２２の内部に水が溜り始めたときにすぐに引水溝３１に水が引き込まれて、排水溝２２の内部に水が溜ること自体を防止できるものである。
【図面の簡単な説明】
【００１４】
【図１】本願発明が用いられるドアホンの図であり、（ａ）は正面図（ｂ）は底面図。
【図２】図１のドアホンのＡ−Ａ断面図であり、（ａ）は全体図（ｂ）は要部拡大図。
【図３】図1のドアホンの展開斜視図。
【図４】従来のドアホンの図であり、（ａ）は正面図（ｂ）は底面図。
【符号の説明】
【００１５】
１      ドアホン
５      ハウジング
１０    カバー
２０    前面板
２１    通音孔
２２    排水溝
２３    凸部
２４    通光孔
２５    通音スリット孔
２６    ネジ貫通孔
２７    ボタン孔
３０    底面板
３１    引水溝
３５    側面板
３６    上面板
４０    ボディ
４５    ベース
４６    ネジ孔
５０    マイク部
５１    マイク
５５    マイクキャップ
６０    プリント基板
６１    呼出スイッチ
６５    カメラ部
６６    カメラ
６７    赤外ＬＥＤ
７０    フィルター
７５    スピーカ
８０    呼出ボタン
８５    取付けネジ
１０１  ドアホン
１０５  ハウジング
１２０  前面板
１２１  通音孔
１２２  排水溝
【図１】
2007143079.tif 000003
【図２】
2007143079.tif 000004
【図３】
2007143079.tif 000005
【図４】
2007143079.tif 000006